(57)【要約】【課題】剛性を確保しつつ水の浸透、吸収を抑制することを目的とする。【解決手段】ワイヤーハーネス１０は、電線２０と、電線２０の外周に帯状の独立発泡テープ３２を電線２０の径方向に重ねつつ螺旋状に巻き付けることにより形成された消音部３０とを備える。消音部３０は、例えば、独立発泡テープ３２を、その幅寸法の半分以上重ねつつ螺旋状に巻き付けて、すなわち、ハーフラップ巻きすることにより形成される。また、消音部３０は、例えば、架橋ポリエチレン又は非架橋ポリエチレンにより形成されている。【選択図】図３
2015005352.tif 000002
【特許請求の範囲】
【請求項１】
電線と、
前記電線の外周に帯状の独立発泡テープを前記電線の径方向に重ねつつ螺旋状に巻き付けて形成された消音部と、
を備える、ワイヤーハーネス。
【請求項２】
請求項１に記載のワイヤーハーネスであって、
前記消音部は、帯状の独立発泡テープをその幅寸法の半分以上重ねつつ螺旋状に巻き付けて形成されている、ワイヤーハーネス。
【請求項３】
請求項１または請求項２に記載のワイヤーハーネスであって、
前記消音部は、架橋ポリエチレン又は非架橋ポリエチレンにより形成されている、ワイヤーハーネス。
【発明の詳細な説明】
【技術分野】
【０００１】
この発明は、ワイヤーハーネスの消音技術に関する。
【背景技術】
【０００２】
ワイヤーハーネスが配索箇所の周辺に当接する際の異音を抑制するために、電線の周りに一枚の矩形のシートを巻き付けることがある。しかしながら、ワイヤーハーネスをバックドア等の金属パネル内の配索経路に挿通するための適度な剛性を得ることが難しかった。
【０００３】
また、電線の周りに不織布シートを巻き付けて、不織布をホットプレスすることによって異音を抑制する技術が特許文献１及び２に開示されている。また、特許文献３〜５には、消音性等に優れたワイヤーハーネス結束用の粘着テープとして、不織布を用いたものが開示されている。
【先行技術文献】
【特許文献】
【０００４】
【特許文献１】特開２０１１−２４４６１４号公報
【特許文献２】特開２０１１−２２２２９１号公報
【特許文献３】特開２００６−２１０２２８号公報
【特許文献４】特開平１１−３３５６３７号公報
【特許文献５】国際公開第９８／５８０３２号
【発明の概要】
【発明が解決しようとする課題】
【０００５】
しかしながら、異音の抑制に不織布を利用すると、不織布が水を吸ってしまったり、水を通してしまう恐れがある。そして、不織布が水を吸ったり、不織布を通して不織布と電線との間に水が浸入すると、腐敗や劣化の原因となる。
【０００６】
そこで、本発明は、剛性を確保しつつ水の浸透、吸収を抑制することを目的とする。
【課題を解決するための手段】
【０００７】
第１の態様に係るワイヤーハーネスは、電線と、前記電線の外周に帯状の独立発泡テープを前記電線の径方向に重ねつつ螺旋状に巻き付けて形成された消音部とを備える。
【０００８】
第２の態様は、消音部は、帯状の独立発泡テープを幅寸法の半分以上重ねつつ螺旋状に巻き付けて形成されている。
【０００９】
第３の態様は、前記消音部は、架橋ポリエチレン又は非架橋ポリエチレンにより形成されている。
【発明の効果】
【００１０】
第１の態様にかかるワイヤーハーネスによると、消音部が、電線の外周に帯状の独立発泡テープを電線の径方向に重ねつつ螺旋状に巻き付けて形成されているため、剛性を確保しつつ水の浸透、吸収を抑制することができる。
【００１１】
第２の態様にかかるワイヤーハーネスによると、消音部が、帯状の独立発泡テープを幅寸法の半分以上重ねつつ巻き付けて形成されており、電線の外周に二重以上重ねられるため、より確実に剛性を確保することができる。
【００１２】
第３の態様にかかるワイヤーハーネスによると、消音部が、架橋ポリエチレン又は非架橋ポリエチレンにより形成されているため、耐候性に優れる。特に、消音部が架橋ポリエチレンにより形成されていると、より耐候性に優れる。
【図面の簡単な説明】
【００１３】
【図１】車両に配索されたワイヤーハーネスの一例を示す概略図である。
【図２】ワイヤーハーネスを示す図である。
【図３】ワイヤーハーネスの断面図である。
【図４】独立発泡テープを電線に巻き付ける工程を示す図である。
【発明を実施するための形態】
【００１４】
以下、実施形態に係るワイヤーハーネス１０について説明する。ワイヤーハーネス１０は、自動車等の車両に配索される配線材である（図１、図２参照）。
【００１５】
ここでは、ワイヤーハーネス１０が車両の車体２からバックドア４に配索される例で説明する。より具体的には、ワイヤーハーネス１０は、車体２に形成された車体貫通孔部３及びバックドア４に形成されたドア貫通孔部５を通じて、車体２とバックドア４との間に配索される。
【００１６】
ワイヤーハーネス１０は、電線２０と、電線２０の外周に形成された消音部３０とを備える（図２参照）。すなわち、ワイヤーハーネス１０のうちのバックドア４内に配索される部分は、車両の振動等によりバックドア４の内面に当接することがある。そこで、本ワイヤーハーネス１０には、バックドア４の内面に対する当接時の打音等の異音を抑制するため、消音部３０が設けられている。
【００１７】
本ワイヤーハーネス１０に含まれる電線２０は、１本であってもよいし複数であってもよい。この電線２０は、車体２からバックドア４に搭載される電気機器に電源供給又は信号供給するための配線材である。
【００１８】
消音部３０は、電線２０の外周に独立発泡テープ３２を電線２０の径方向に重ねつつ螺旋状に巻き付けて形成されている（図２〜図４参照）。
【００１９】
より具体的には、消音部３０は、バックドア４を形成する金属パネル等に当接した際の打音が、少なくとも電線２０が当接した際の打音より小さくなる程度に柔軟に形成されている。また、消音部３０は、水の吸収を抑制すると共に、水の通り抜けを抑制して電線２０との間に水が浸入するのを抑制するために、独立発泡テープ３２として独立発泡素材を採用している。ここでは、消音部３０（独立発泡テープ３２）は、架橋ポリエチレン又は非架橋ポリエチレンにより形成されている。
【００２０】
例えば、消音部３０を形成する独立発泡テープ３２は、帯状の架橋ポリエチレンの一方の面に粘着層が形成されているとよい。そして、独立発泡テープ３２は、粘着層の表面に剥離紙を貼り付けた状態でロール状にしておいてもよいし、粘着層と反対側の面が粘着層に張り付いた状態から剥離可能な性状に形成されていてもよい。なお、粘着層としては、アクリル系又はゴム系の材料を採用することができる。もっとも、独立発泡テープは、粘着層が形成されていなくともよい。この場合、独立発泡テープを粘着テープ等により電線２０に固定すればよい。
【００２１】
また、消音部３０は、ワイヤーハーネス１０をドア貫通孔部５を通じてバックドア４内の配索経路に挿入するために必要な剛性を確保するため、電線２０の外周に独立発泡テープ３２を電線２０の径方向に重ねつつ螺旋状に巻き付けて形成されている。好ましくは、消音部３０は、帯状の独立発泡テープ３２を幅寸法の半分以上重ねつつ螺旋状に巻き付けて形成されているとよい（図３参照）。例えば、厚さ寸法が２ｍｍの独立発泡テープ３２を用いると、４ｍｍ以上の厚さ寸法の消音部３０を形成することができる。もっとも、消音部は、電線２０の外周に独立発泡テープ３２を幅寸法の半分以下の寸法重ねつつ螺旋状に巻き付けられて形成されていてもよい。なお、独立発泡テープ３２を、その幅寸法の半分以上重ねつつら螺旋状に巻く巻き方は、ハーフラップ巻きと呼ばれることがある。
【００２２】
上記実施形態にかかるワイヤーハーネス１０によると、消音部３０が、電線２０の外周に帯状の独立発泡テープ３２を電線２０の径方向に重ねつつ螺旋状に巻き付けて形成されているため、剛性を確保しつつ水の浸透、吸収を抑制することができる。そして、ワイヤーハーネス１０の剛性を確保することができるため、ワイヤーハーネス１０をドア貫通孔部５を通じてバックドア４内の配索経路に挿通し易く、車両組み付け作業の効率を向上させることができる。
【００２３】
また、消音部３０が帯状の独立発泡テープ３２により形成されているため、単一材料でワイヤーハーネス１０の剛性を確保できると共に消音効果も得られる。例えば、ワイヤーハーネスの剛性を確保するために硬質チューブを用いると共に消音効果を得るために硬質チューブの周りに消音用のシートを巻き付ける形態に比べて、材料点数を低減してより簡単に製造することができると共に材料費の低減にも寄与する。
【００２４】
また、消音部３０が帯状の独立発泡テープ３２を電線２０に巻き付けることによって形成されるため、独立発泡テープをロール状にしたまま巻き付け作業をし易く、矩形シートを巻き付ける場合よりスムーズに巻き付けることができる。すなわち、矩形シートは幅が広く、ロール状にしたまま供給することが困難である。さらに、電線径、巻き付け対象部分の範囲等が違う電線２０に対して、予め専用サイズに形成しておかなくとも、一種類の独立発泡テープで汎用性をもって必要箇所に対して巻き付け作業を行うことができる。これにより、費用の低減に寄与する。また、独立発泡テープ３２を電線２０に巻き付ける際の重ねる数も、一種類の独立発泡テープ３２でより自由度をもって調節することができる。
【００２５】
また、消音部３０が、架橋ポリエチレン又は非架橋ポリエチレンにより形成されているため、耐候性に優れる。特に、消音部３０が架橋ポリエチレンにより形成されていると、より優れた耐候性を示す。
【００２６】
また、消音部３０が、帯状の独立発泡テープ３２を幅寸法の半分以上重ねつつ巻き付けて形成されており、電線２０の外周に二重以上重ねられるため、より確実に剛性を確保することができる。
【００２７】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００２８】
１０  ワイヤーハーネス
２０  電線
３０  消音部
３２  独立発泡テープ
【図１】
2015005352.tif 000003
【図２】
2015005352.tif 000004
【図３】
2015005352.tif 000005
【図４】
2015005352.tif 000006